(57)【要約】【課題】少量の液体を適切に注ぎ出すことができ、かつ、操作性の高い液体容器を提供する。【解決手段】内側に液体を貯留可能な空間が形成されるとともに、当該貯留している液体を注出するための注液口２２ｃを備えた液体容器１であって、この液体容器１の外側壁に、この液体容器１の内側に向かって弾性変形して液体容器１の内側空間の容積を変更可能な押圧部３０を設け、この押圧部３０に、その中央に設けられた第１押圧部３２と、当該第１押圧部３２を囲む第２押圧部３４とを設けるとともに、第２押圧部３４を、第１押圧部３２の厚みよりも大きい厚みを有し、かつ、内周側の部分の方が外周側の部分よりも肉厚となる形状にする。【選択図】図５
2017225478.tif 000002
【特許請求の範囲】
【請求項１】
内側に液体を貯留可能な空間が形成されるとともに、当該貯留している液体を注出するための注液口を備えた液体容器であって、
当該液体容器の外側壁に設けられて、当該液体容器の内側に向かって弾性変形して当該液体容器の内側空間の容積を変更可能な押圧部を備え、
上記押圧部は、その中央に設けられた第１押圧部と、当該第１押圧部を囲む第２押圧部とを備え、
上記第２押圧部は、上記第１押圧部の厚みよりも大きい厚みを有し、かつ、内周側の部分の方が外周側の部分よりも肉厚となる形状を有することを特徴とする液体容器。
【請求項２】
請求項１に記載の液体容器であって、
上記第２押圧部は、内周側に設けられて全体の厚みが略一定とされた第１厚肉部と、当該第１厚肉部の外周側に設けられて全体の厚みが上記第１厚肉部の厚みよりも小さく且つ略一定とされた第２厚肉部とを備えることを特徴とする液体容器。
【請求項３】
請求項２に記載の液体容器であって、
上記第２厚肉部の幅は、上記第１厚肉部の幅よりも小さく設定されていることを特徴とする液体容器。
【請求項４】
請求項１〜３のいずれかに記載の液体容器であって、
上記第１押圧部は、上記液体容器の外側に向かって膨出する形状を有することを特徴とする液体容器。
【請求項５】
請求項４に記載の液体容器であって、
上記第２押圧部は、上記液体容器の外側に向かって膨出する形状を有し、
上記第１押圧部は、上記第２押圧部のよりもさらに上記液体容器の外側に向かって膨出する形状を有することを特徴とする液体容器。
【請求項６】
請求項１〜５のいずれかに記載の液体容器であって、
上記第１押圧部は、当該第１押圧部が設けられる上記外側壁と直交する方向から見て円形を有することを特徴とする液体容器。
【請求項７】
請求項１〜６のいずれかに記載の液体容器であって、
上方に開口して液体を貯留するための貯留室が内側に形成された容器本体と、
上記容器本体に着脱可能に装着されて当該容器本体の開口部分を塞ぐ蓋体とを備え、
上記押圧部は、上記蓋体の上面に設けられていることを特徴とする液体容器。
【発明の詳細な説明】
【技術分野】
【０００１】
本発明は、内側に液体を貯留可能な空間が形成されるとともに、当該貯留している液体を注出するための注液口を備えた液体容器に関する。
【背景技術】
【０００２】
従来から、液体調味料等を貯留する容器において、注出する液体の総量を適切に調整できるように液体を数滴ずつ注出できるものが検討されている。
【０００３】
例えば、特許文献１には、上方に開口して液体を貯留可能な空間が内側に形成された容器本体と、この容器本体の開口部分を塞ぐキャップとを備えた容器であって、キャップに液体を注出するための注液孔が形成されているとともに、このキャップに、容器本体の開口部分から注液孔までの通路を流通する液体の一部を堰き止めるための堰止部が設けられたものが開示されている。
【０００４】
この容器によれば、注液孔に向かう液体の一部が堰止部で堰き止められるため、多量の液体が一度に注ぎ出されるのを抑制することができ、液体を少量ずつ注ぎ出すことができる。
【先行技術文献】
【特許文献】
【０００５】
【特許文献１】特開２００９−８９９１３号公報
【発明の概要】
【発明が解決しようとする課題】
【０００６】
しかしながら、特許文献１の容器では、容器本体に貯留されている液体の量および容器本体の傾きに応じて堰止部で堰き止められずに注液孔に向かう液体の量が変化する。そのため、容器本体の傾きを液体の量に応じて調整する必要があり、操作性が十分に高くないという問題がある。具体的には、容器本体に貯留されている液体が少量の場合には、容器本体を大きく傾けても、堰止部を超えて注液孔に向かう液体の量は少量に抑えられるが、容器本体に貯留されている液体が多量の場合には、容器本体を大きく傾けると、多量の液体が堰止部を超えて注液孔に向かい比較的多量の液体が注ぎ出されてしまう。
【０００７】
本発明の目的は、少量の液体を適切に注ぎ出すことができ、かつ、操作性の高い液体容器を提供することにある。
【課題を解決するための手段】
【０００８】
上記課題を解決するためのものとして、本発明は、内側に液体を貯留可能な空間が形成されるとともに、当該貯留している液体を注出するための注液口を備えた液体容器であって、当該液体容器の外側壁に設けられて、当該液体容器の内側に向かって弾性変形して当該液体容器の内側空間の容積を変更可能な押圧部を備え、上記押圧部は、その中央に設けられた第１押圧部と、当該第１押圧部を囲む第２押圧部とを備え、上記第２押圧部は、上記第１押圧部の厚みよりも大きい厚みを有し、かつ、内周側の部分の方が外周側の部分よりも肉厚となる形状を有することを特徴とする液体容器を提供する。
【０００９】
この液体容器によれば、押圧部を押圧操作してこれを変形させることで、この押圧部の変形量に対応した分だけ液体容器の内側空間の容積を変更することができる。そのため、容器本体に貯留されている液体の量や容器の傾き具合によらず、押圧部の変形量に対応する液体容器の容積変化分の液体のみを注ぎ出すことができる。従って、押圧部を押圧操作するという簡単な操作で、液体を一定量ずつひいては少量ずつ適切に注ぎ出すことができる。
【００１０】
しかも、この液体容器では、押圧部の中央に第１押圧部が設けられ、さらに、その周囲に、第１押圧部の厚みよりも大きい厚みを有する第２押圧部が設けられており、押圧部に変形に必要な押圧力が互いに異なる部分が設けられている。そのため、用途等に応じて、押圧部に加える押圧力を調整することによって、液体の注出量を段階的に容易に変更することができ、利便性をより高めることができる。
【００１１】
具体的には、この液体容器によれば、押圧部の中央すなわち第１押圧部を比較的弱い力で押圧することで厚みの小さい第１押圧部のみをまず変形させることができる。従って、この場合には、この第１押圧部の変形量に対応する量の液体のみを注ぎ出すことができる。一方で、第１押圧部を比較的強い力で押圧することで、第１押圧部に加えて厚みの大きい第２押圧部を変形させることができ、この場合には、これら第１押圧部と第２押圧部との全体の変形量に対応する比較的多い量の液体を注ぎ出すことができる。
【００１２】
特に、この液体容器では、第２押圧部の外周側の厚みが比較的小さく設定されている。そのため、この外周側の部分によって第２押圧部の変形を促進することができる。従って、第１押圧部と第２押圧部との両方を変形させる場合においても、過大な力を必要とせず操作性をより確実に高めることができる。
【００１３】
上記構成において、上記第２押圧部は、内周側に設けられて全体の厚みが略一定とされた第１厚肉部と、当該第１厚肉部の外周側に設けられて全体の厚みが上記第１厚肉部の厚みよりも小さく且つ略一定とされた第２厚肉部とを備えるのが好ましい。
【００１４】
この構成によれば、第２押圧部を第１厚肉部と第２厚肉部との境界部分で折れ曲げつつ変形させることができ、第２押圧部の厚みを大きくこれの変形を促進することができる。
【００１５】
上記構成において、上記第２厚肉部の幅は、上記第１厚肉部の幅よりも小さく設定されているのが好ましい。
【００１６】
このようにすれば、厚肉部のうち内周側に位置して第１押圧部を支持する部分の変形を抑制して、第１押圧部のみの変形をより確実に実現することができる。
【００１７】
上記構成において、上記第１押圧部は、上記液体容器の外側に向かって膨出する形状を有するのが好ましい。
【００１８】
このようにすれば、第１押圧部であって押圧すべき押圧部の中央部分を利用者が容易に認識できる。また、第１押圧部を押しつぶすことでこれを容易に変形させることができる。
【００１９】
上記構成において、上記第２押圧部は、上記液体容器の外側に向かって膨出する形状を有し、上記第１押圧部は、上記第２押圧部の外側面よりもさらに上記液体容器の外側に向かって膨出する形状を有するのが好ましい。
【００２０】
このようにすれば、第１押圧部と第２押圧部との全体をより容易に変形させることができる。
【００２１】
上記構成において、上記第１押圧部は、当該第１押圧部が設けられる上記外側壁と直交する方向から見て円形を有するのが好ましい。
【００２２】
このようにすれば、第１押圧部に加えられた押圧力を第１押圧部および押圧部全体により均一に付与することができ、これらを適切に変形させることができる。そのため、押圧部のうち押圧操作された位置が異なることによって、液体の注出量が変化するのを抑制することができる。
【００２３】
上記構成において、上方に開口して液体を貯留するための貯留室が内側に形成された容器本体と、上記容器本体に着脱可能に装着されて当該容器本体の開口部分を塞ぐ蓋体とを備え、上記押圧部は、上記蓋体の上面に設けられているのが好ましい。
【００２４】
このようにすれば、蓋体を取り外すことで容器本体内に液体を容易に注入することができる。また、蓋体の上面に押圧部が形成されているため、液体容器を把持してこれを傾けつつ液体を注ぎ出す際において押圧部を容易に操作することができ、操作性を高めることができる。
【発明の効果】
【００２５】
本発明によれば、少量の液体を適切に注ぎ出すことができ、かつ、操作性を高めることができる。
【図面の簡単な説明】
【００２６】
【図１】本発明の実施形態に係る液体容器の斜視図である。
【図２】液体容器の分解斜視図である。
【図３】液体容器の縦断面図である。
【図４】蓋体の上面図である。
【図５】図４のＶ−Ｖ線断面図である。
【図６】液体注出時の様子を示した図である。
【図７】液体注出時の様子を示した図である。
【発明を実施するための形態】
【００２７】
（１）構造
以下、添付図面を参照しながら、本発明の実施の形態について説明する。なお、以下の実施の形態は、本発明を具体化した例であって、本発明の技術的な範囲を限定するものではない。
【００２８】
図１は、本実施形態に係る液体容器１の全体構成を示した概略斜視図である。図２は、液体容器１の分解斜視図である。図３は、液体容器１の縦断面図である。なお、この液体容器１に貯留される液体の具体的な種類は限定されないが、例えば、この液体容器１は、醤油等の液体調味料が貯留されてこれらを注出するものに利用される。
【００２９】
図１および図２に示すように、液体容器１は、容器本体１０と、蓋体２０とで構成されている。
【００３０】
図３等に示すように、容器本体１０は、有底の略円筒部材であり、その内側には、上方に開口して液体を貯留可能な貯留室１０ｃが形成されている。容器本体１０は、例えばガラス等からなる。以下の容器本体１０の説明では、容器本体１０の径方向を単に径方向という。
【００３１】
容器本体１０の上部には、段部１３が形成されている。具体的には、容器本体１０の上部の外周壁１５が、容器本体１０の下部の外周壁１１よりも径方向内側に位置することで、容器本体１０の上部に段部１３が形成されている。
【００３２】
段部１３よりも上方の外周壁１５には、その上下方向の中間部分に径方向外側に突出する係止突起１７が設けられている。係止突起１７は、容器本体１０の全周にわたって設けられている。この係止突起１７は、蓋体２０を係止するためのものである。
【００３３】
図４は、蓋体２０の平面図である。図５は、図４のＶ−Ｖ線断面図である。
【００３４】
蓋体２０は、容器本体１０の上部に取り付けられて容器本体１０の開口部１０ａを上方から液密状態に塞ぐものである。蓋体２０は、略水平方向に延びる天板部２１を有する有天の略円筒状を有しており、その内側には下方に開口する空間２０ａが形成されている。図３に示すように、蓋体２０が容器本体１０に取り付けられた状態において、蓋体２０の内側空間２０ａと容器本体１０の貯留室１０ｃとは連通する。本実施形態では、蓋体２０は、その全体が同一素材で一体形成されており、例えば、硬度が４０〜７０度の間の所定の硬度（例えば５０度等）を有するシリコーン等の合成樹脂からなる。以下の蓋体２０の説明では、蓋体２０の径方向を単に径方向という。
【００３５】
蓋体２０の外周壁２４の一部は、その上部において径方向外側に突出しており、蓋体２０の上部には、径方向外側に突出する嘴部２２が形成されている。嘴部２２は、図４に示すように、平面視で略三角形状を有するとともに、図３に示すように、径方向外側に向かって上方に傾斜している。
【００３６】
図３に示すように、嘴部２２の内側には、径方向に延びる注液通路２２ａが形成されており、蓋体２０の内側空間２０ａは、この注液通路２２ａと、これと連通して天板部２１の下方に位置する主室２１ａとで構成されている。注液通路２２ａは、嘴部２２の径方向の外側端面２２ｂにおいて開口しており、この端面２２ｂには液体容器１の内側に貯留されている液体を外部に注ぎ出すための注液口２２ｃが形成されている。すなわち、容器本体１０の貯留室１０ｃ内に貯留されている液体は、主室２１ａおよび注液通路２２ａを通って注液口２２ｃから外部に注ぎ出されるようになっている。注液通路２２ａは、径方向外側に向かって上方に傾斜している。
【００３７】
本実施形態では、嘴部２２の径方向の外側端部に、径方向の外側に突出する突部２３が設けられており、この突部２３の端面２２ｂに注液口２２ｃが形成されている。この突部２３は非常に径の小さい円筒状を有しており、本実施形態では、このような突部２３が設けられていることで、注液口２２ｃから液体が注ぎ出された際に、注液口２２ｃ周りに液だれが生じるのが抑制されている。また、本実施形態では、注液通路２２ａは、注液口２２ｃ付近でその流路面積が小さくされている。
【００３８】
蓋体２０の上壁すなわち天板部２１であって液体容器１の外側壁を構成する部分には、その中央に、平面視で（天板部２１と直交する方向から見て）円形を有し、かつ、上方に膨出するドーム状の押圧部３０が設けられている。この押圧部３０は、天板部２１のうち他の部分よりも薄肉であり主室２１ａの天面を構成している。すなわち、天板部２１のうち押圧部３０よりも外周側の部分からは外周壁２４が下方に延びており、押圧部３０の下面と外周壁２４の内周面とによって主室２１ａが区画されている。なお、本実施形態では、天板部２１のうち押圧部３０の外周縁近傍の部分も、上方に膨出している。
【００３９】
押圧部３０は、上記のように薄肉であって、使用者によりその上面３０ａが押圧操作されることで下方に容易に変形できるようになっている。また、押圧部３０は、押圧操作が解除されることで弾性復帰するようになっており、下方すなわち液体容器１の内側に向かって弾性変形可能となっている。
【００４０】
押圧部３０は、その中央に位置して平面視で円形を有する第１押圧部３２と、第１押圧部３２の全周を囲むリング状の第２押圧部３４とで構成されている。本実施形態では、第１押圧部３２は、第２押圧部３４からさらに上方に膨出している。
【００４１】
図５等に示すように、第１押圧部３２は、その厚みが全体にわたって一定の値ｔ１とされている。
【００４２】
一方、第２押圧部３４の肉厚は、径方向外側ほど小さくなるように設定されている。本実施形態では、第２押圧部３４の厚みは２段階に設定されており、第２押圧部３４は、内周側に位置して肉厚の大きい第１厚肉部３４ａと、外周側に位置して第１圧肉部３４ａよりも厚みの小さい第２厚肉部３４ｂとからなる。
【００４３】
具体的には、第２押圧部３４の下面には、径方向の外側部分が径方向の内側部分よりも上方に位置することで段部３４ｃが形成されており、この段部３４ｃよりも径方向の内側部分の厚みが一定の値ｔ２とされて第１厚肉部３４ａが形成され、この段部３４ｃよりも径方向の外側部分の厚みが上記値ｔ２よりも小さい一定の値ｔ３とされて第２厚肉部３４ｂが形成されている。
【００４４】
図４に示すように、これら第１厚肉部３４ａおよび第２厚肉部３４ｂは、第２押圧部３４の全周にわたっている。また、本実施形態では、第１厚肉部３４ａの幅寸法Ｌ１の方が、第２圧厚肉部３４ｂの幅方向の寸法Ｌ２よりも大きく設定されている。なお、これら第１厚肉部３４ａおよび第２厚肉部３４ｂの幅すなわち径方向の寸法は、全周にわたって一定となっている。
【００４５】
ここで、第１厚肉部３４ａの厚みｔ２および第２厚肉部３４ｂの厚みｔ３は、いずれも第１押圧部３２の厚みｔ１よりも大きく設定されており、第２押圧部３４の厚みは第１押圧部３２の厚みよりも大きくなっている。そして、押圧部３０の厚みは、その中央に位置する第１押圧部３２において最も薄く、その外周側に位置する第２押圧部３４の第１厚肉部３４ａにおいて最も厚く、さらにその外周側に位置する第２押圧部３４の第２厚肉部３４ｂにおいて中間値となるように設定されている。
【００４６】
各部３２，３４ａ，３４ｂの厚みｔ１，ｔ２，ｔ３はこれらを構成する材料の種類等に応じて適宜設定すればよいが、例えば、ｔ１とｔ２とｔ３とは１：３．５：１．８程度に設定される。また、第１押圧部３２の半径ｒ、各厚肉部３４ａ，３４ｂの径方向の寸法Ｌ１，Ｌ２も、これらを構成する材料の種類等に応じて適宜設定すればよい。ただし、ｔ１，ｔ２，ｔ３がそれぞれ０．４〜１．４ｍｍ程度、２．７〜３．７ｍｍ程度、１．１〜２．１ｍｍ程度に設定され、かつ、ｒ，Ｌ１，Ｌ２がそれぞれ５．５〜６．５ｍｍ程度、４〜６ｍｍ程度、２〜３ｍｍ程度に設定されれば、後述するように押圧部３０を押圧して液体を注出する場合およびその抽出量を変更する場合において、より良好な操作性を得ることができることが分かっており、これらの値に設定されるのが好ましい。
【００４７】
蓋部２０の下端部、すなわち、蓋部２０の外周壁２４の下端部には、その内周面に径方向の外側に凹む凹部２４ａ形成されている。凹部２４ａは、蓋部２０の外周壁２４の全周にわたって形成されている。
【００４８】
凹部２４ａは、容器本体１０の係止突起１７と係合する部分であり、図３に示すように、この凹部２４ａ内に係止突起１７が挿入されることで、蓋部２０は容器本体１０に係止される。
【００４９】
本実施形態では、外周壁２４のうち凹部２４ａの上方の位置に上方に凹む溝部２４ｂが形成されており、蓋部２０が容器本体１０に装着された状態で、この溝部２４ｂの内周壁を構成する部分２４ｃが、容器本体１０の開口部１０ａ内に挿入されるようになっている。また、蓋体２０が容器本体１０に装着された状態で、蓋部２０の外周壁２４は、容器本体１０の段部１３の上面に載置されて、蓋部２０の外側面と容器本体１０の外側面とが面一で連続するようになっている。
【００５０】
（２）液体注出手順
以上のように構成された液体容器１は、傾けられた状態で、押圧部３０の中央部分すなわち第１押圧部３２の中央部分であって最も上方に膨出している部分が押圧操作されることで、注液口２２ｃから液体が外部に注ぎ出される。そして、第１押圧部３２に加えられた押圧力に応じてこの液体の注出量が段階的に変更される。
【００５１】
図６および図７を用いて具体的に説明する。図６は、比較的弱い力で第１押圧部３２が押圧操作されたときの様子を示したものである。図７は、比較的強い力で第１押圧部３２が押圧操作されたときの様子である。
【００５２】
図６に示すように、第１押圧部３２が比較的弱い力で押圧された場合は、第２押圧部３４は変形せず、第１押圧部３２のみが蓋体２０の主室２１ａ内すなわち液体容器１の内側に向かって変形する。すなわち、上記のように、第１押圧部は厚みが薄く変形が容易である一方、第２押圧部３４は厚みが厚く比較的変形しにくい。そのため、押圧部３０に加えられた力が所定値未満と小さい場合には、第２押圧部３４は変形せず、第１押圧部３２のみが変形する。具体的には、図６に示すように、第１押圧部３２は、第２押圧部３４を支点とするかたちで蓋体２０の主室２１ａの内側に入り込み、この内側に向かって膨出するように変形する。
【００５３】
このように、第１押圧部３２が液体容器１の内側に入り込むように変形すると、液体容器１の内側空間の体積は減少する。従って、この体積の減少量に応じた量の液体が外部に注ぎ出される。すなわち、この場合には、第１押圧部３２の変形量に対応した量だけ液体容器１の体積が減少するため、第１押圧部３２の変形量に対応した量の液体だけが外部に注ぎ出される。
【００５４】
一方、第１押圧部３２がさらに押圧されて押圧部３０に所定値以上の比較的強い力が加えられた場合は、図７に示すように、第１押圧部３２とともに第２押圧部３４も変形する。具体的には、これら各押圧部３２，３４全体すなわち押圧部３０全体が、主室２１ａの内側に入り込み、この内側に向かって膨出するように変形する。このとき、第２押圧部３４は、第１厚肉部３４ａと第２厚肉部３４ｂとの境界部分で折れ曲がるようにして変形し、第１厚肉部３４ａは第２厚肉部３４ｂの下方に退避するように変形する。
【００５５】
これに伴い、液体容器１の内側空間の体積は、第１押圧部３２の変形量に加えて第２押圧部３４の変形量分も減少する。従って、この場合には、第１押圧部３２のみが変形した場合よりも多い量の液体が外部に注ぎ出されることになる。
【００５６】
このように、本実施形態では、第１押圧部３２を押圧操作するという簡単な操作で、少量ずつ液体を注ぎ出すことができるとともに、第１押圧部３２に加える押圧力を変更するという簡単な手順で、液体の注出量を変更することができ、用途等に応じて液体の注出量を容易に変更することができる。
【００５７】
（３）作用等
以上のように、本実施形態に係る液体容器１では、第１押圧部３２を押圧操作してこれを変形させることで、押圧部３０の変形量に対応した分だけ液体を注ぎ出すことができる。従って、簡単な操作で、液体を一定量ずつひいては少量ずつ適切に注ぎ出すことができる。
【００５８】
しかも、この液体容器１では、押圧部３０の中央に薄肉の第１押圧部３２が設けられ、かつ、この第１押圧部３２の周囲に比較的肉厚の第２押圧部３４が設けられることで、上記のように、第１押圧部３２に加える押圧力を変更するという簡単な操作で、第１押圧部３２のみを変形させてより少量の液体を注出する場合と、第１押圧部３２に加えて第２押圧部３４を変形させて比較的多量の液体を注出する場合とに切り替えることができる。そのため、利便性をより一層高めることができる。
【００５９】
特に、この液体容器１では、第２押圧部３４の内周側に厚みの大きい第１厚肉部３４ａが設けられて外周側に厚みの小さい第２厚肉部３４ｂが設けられている。そのため、第１厚肉部３４ａによって第２押圧部３４の変形を抑制して第１押圧部３２のみの変形を実現することができるとともに、この第１厚肉部３４ａを第２厚肉部３４ｂとの境界部分で俺曲げることで第２厚肉部３４ｂひいては第２押圧部３４を比較的容易に変形させることができる。従って、第１押圧部３２と第２押圧部３４との両方を変形させる場合においても、過大な力を必要とせず操作性をより確実に高めることができる。
【００６０】
また、上記実施形態では、第１厚肉部３４ａの幅が、第２厚肉部３４ｂの幅よりも小さく設定されている。
【００６１】
そのため、第１厚肉部３４ａの剛性を高めることができ、第２押圧部３４が過度に容易に変形するのを抑制することができる。また、例えば、第２押圧部３４の厚みを、径方向外側に向かって徐々に小さくなるように設定した場合に比べて、上記のように、第２押圧部３４を折り曲げることができ第２押圧部３４の変形を促進することができる。
【００６２】
また、上記実施形態では、押圧部３０の中央に位置する第１押圧部３２が、上方に膨出する形状を有している。
【００６３】
そのため、押圧操作を行う押圧部３０の中央部分を利用者が容易に認識でき、利便性を高めることができる。具体的には、利用者は、第１押圧部３２が上方に膨出していることで、視的に、また、触覚的に押圧操作すべき押圧部３０の中央部分を容易に認識することができる。また、第１押圧部３２を押しつぶすことで、これを容易に変形させることができる。
【００６４】
また、上記実施形態では、第２押圧部３４も、上方に向かって膨出する形状を有し、さらに、第１押圧部３２が第２押圧部３４よりもさらに上方に向かって膨出する形状を有している。そのため、押圧操作を受けるべき押圧部３０の中央部分を利用者により容易に認識させることがでるとともに、第１押圧部３２と第２押圧部３４との全体を押しつぶすことで、これらの全体をより容易に変形させることができる。
【００６５】
また、上記実施形態では、第１押圧部３２が、円形を有している。
【００６６】
そのため第１押圧部３２に加えられた押圧力を第１押圧部３２および押圧部３０全体により均一に付与することができ、これらを適切に変形させることができる。従って、第１押圧部３２のうち押圧操作された位置が異なることによって、液体の注出量が変化するのを抑制することができる。具体的には、第１押圧部３２を四角形等で構成してその角部付近に押圧力が加えられた場合には、反対側の角部に加えられる力は小さくなり、第１押圧部３２あるいは押圧部３０は均一に変形しにくい。そのため、押圧部３０の中央部分が押圧操作された場合とで、押圧部３０の変形量が大きくずれて、液体の注出量がばらついてしまう。これに対して、本実施形態では、第１押圧部３２が円形を有しているため、押圧力の分布をより均一にして、より均一にこれらを変形させることができる。
【００６７】
また、本実施形態では、容器本体１０とこれに着脱可能に装着される蓋体２０とで液体容器１０が構成され、かつ、蓋体２０の天板部２１すなわち蓋体２０の上面に押圧部３０が設けられている。そのため、蓋体２０を取り外すことで容器本体１０内に液体を容易に注入することができるとともに、液体容器１を把持してこれを傾けつつ液体を注ぎ出す際において押圧部３０を容易に操作することができ、操作性を高めることができる。
【００６８】
（４）変形例
ここで、上記実施形態では、押圧部３０および第１押圧部３２が液体容器１の外側に膨出している場合について説明したが、押圧部３０および第１押圧部３２は、膨出していなくてもよい。ただし、上記のように、これらを膨出させれば、利便性を高めることができるとともに、これらを容易に変形させることができる。
【００６９】
また、上記実施形態では、第１押圧部３２の全周を厚みの大きい第２押圧部３４で囲んだ場合について説明したが、第１押圧部３２の周囲の一部を第１押圧部３２の厚みと同程度にしてもよい。ただし、第１押圧部３２の全周を厚みの大きい第２押圧部３４で囲めば、第２押圧部３４の変形を抑制して第１押圧部３２のみをより確実に変形させることができる。
【００７０】
また、上記実施形態では、第２押圧部３４を、互いに厚みの異なる第１厚肉部３４ａと、第２厚肉部３４ｂとで構成した場合について説明したが、第２押圧部３４を、外周側に向かうに従って厚みが小さくなるような形状としてもよい。ただし、上記のように、第２押圧部３４を厚みの異なる第１厚肉部３４ａと第２厚肉部３４ｂとで構成すれば、第２押圧部３４の変形を促進することができる。
【００７１】
また、上記実施形態では、押圧部３０が蓋体２０の上面に設けられた場合について説明したが、蓋体２０の外周面等に押圧部３０が設けられてもよい。また、押圧部３０は、容器本体１０に設けられてもよい。
【００７２】
また、上記実施形態では、蓋体２０の全体が同一素材で一体形成された場合について説明したが、蓋体２０を複数の素材で形成する、あるいは、複数の部材を組み立てることで蓋体２０を形成してもよい。例えば、蓋体２０のうち押圧部３０のみを他の合成樹脂等で形成し、他の部分をシリコーンで形成する、あるいは、押圧部３０のみをシリコーンで形成して、他の部分を他の合成樹脂等で形成してもよい。
【００７３】
また、液体容器１内に液体を導入可能な導入口を別途設けつつ蓋体２０と容器本体１０とを一つの部材としてもよい。ただし、上記のように、これらを別体とすれば、液体の容器本体１内へ容易に導入することができるとともに、清掃等を容易に行うことができる。
【符号の説明】
【００７４】
１  液体容器
１０  容器本体
２０  蓋体
２２ｃ  注液口
３０  押圧部
３２  第１押圧部
３４  第２押圧部
３４ａ  第１厚肉部
３４ｂ  第２厚肉部
【図１】
2017225478.tif 000003
【図２】
2017225478.tif 000004
【図３】
2017225478.tif 000005
【図４】
2017225478.tif 000006
【図５】
2017225478.tif 000007
【図６】
2017225478.tif 000008
【図７】
2017225478.tif 000009